(57)【要約】【課題】比較的簡易な構造により同軸ケーブルを無理なく取付け対象面側に近く導出されるよう確実に固定することを可能にし、ガラス面などの取付け対象面に沿ったの体裁よい配線を行えると共に、アンテナ性能とフィダー線性能の安定化を図ることができるアンテナにおける同軸ケーブル固定構造を提供する。【解決手段】下面が取付け対象面に貼着されるケース基部体の上面に突周壁を設け、この突周壁にアンテナ基板をアンテナ面を下向きにして固定し、該アンテナ基板の反対面上に先端部を接続した同軸ケーブルをケース外部に導出したアンテナであり、前記ケース基部体の突周壁からケース基部体上面近くの導出位置にかけた部位に、同軸ケーブルを下傾状に受支しつつ受支状態を固定する機構を設けた。【選択図】図３
2007258056.tif 000002
【特許請求の範囲】
【請求項１】
下面が取付け対象面に貼着されるケース基部体の上面に突周壁を設け、この突周壁にアンテナ基板をアンテナ面を下向きにして固定し、該アンテナ基板の反対面上に先端部を接続した同軸ケーブルをケース外部に導出したアンテナにおいて、前記ケース基部体の突周壁からケース基部体上面近くの導出位置にかけた部位に、同軸ケーブルを下傾状に受支しつつ受支状態を固定する機構を設けたことを特徴とするアンテナにおける同軸ケーブル固定構造。
【請求項２】
同軸ケーブルを下傾状に受支しつつ受支状態を固定する機構が、突周壁から導出位置にかけて形成された傾斜面を有する台部と、同軸ケーブルを外囲する部分と前記台部に対する係止部を有する固定手段とを備えていることを特徴とする請求項１に記載のアンテナにおける同軸ケーブル固定構造。
【請求項３】
係止部が垂下片からなり、台部が前記垂下片を差し込む穴を有していることを特徴とする請求項２に記載のアンテナにおける同軸ケーブル固定構造。
【請求項４】
台部は幅方向を貫通する内側空間を有している請求項２又は３に記載のアンテナにおける同軸ケーブル固定構造。
【請求項５】
同軸ケーブル導出位置に相当する基部体端部と基部体を覆うカバーの下縁部に同軸ケーブルを挟持する固定用溝を有している請求項１ないし４のいずれかに記載のアンテナにおける同軸ケーブル固定構造。
【発明の詳細な説明】
【技術分野】
【０００１】
本発明はガラス面設置型の受信アンテナに好適な同軸ケーブル固定構造に関する。
【背景技術】
【０００２】
ＸＭラジオで代表される衛星放送を受信するアンテナは、車両のガラス面に貼着されるかたちで設置される。そのためにアンテナから外部に導出された同軸ケーブルはガラス面に近接して沿わせられることが好ましい。
ところが、この種のアンテナは、図１のように、受信効率の点からアンテナ本体ａがケースの内部とりわけガラス面側に臨むように配置されるため、アンテナをマウントした基板ｂは逆にガラス面側から高さ方向に離間した位置にあり、この基板ｂに接続する同軸ケーブルｃもガラス面側から離れた高位にて接続されることになる。このため、接続位置から先の同軸ケーブルはそのままではケーシングの中位レベルで延在されるので、ケース内で曲げ、蓋縁の溝で屈曲状態を固定して外部に導くことになる。
【０００３】
しかし、この方式では、基板との接続部とケース出口の間で同軸ケーブルｃが中に浮いた状態になり、振動による同軸ケーブルの揺れによって断線が発生しやすくなり、屈曲とあいまって基板との接続部に過大な負荷がかかり、アンテナ性能が不安定化する可能性があった。これは、同軸ケーブルが比較的太く硬質である場合になおさらであった。
このようなことから、従来では同軸ケーブルをあまり曲げないで済むように、ケースの中位レベルから導出することが行われているが、ガラス面から離れて配線されることになるので、配線作業がやりにくくなったり、体裁が悪くなったりする問題があった。
【０００４】
なお、導線類の固定技術に関して、従来、先行技術１のように、リード線を上ケースと下ケースの凹凸嵌合部に挟み込んで固定する構造や、先行技術２のように、リード線を下ケースに設けた複数のボスと交差するように蛇行させて固定する構造が知られているが、これらをアンテナに適用した場合、リード線の被覆に負担がかかってアンテナ受信性能の悪化させ、また、組立て工程において、リード線を蛇行させる作業により工数が増大してコストアップし、かつ、断線やリード線固定位置のばらつきにより性能の悪化を招いたり、性能安定が図れないおそれがあるので、前記のようなガラス面設置型の衛星放送受信アンテナにおける同軸ケーブル固定の問題点を解消できなかった。
【特許文献１】実開昭６１−１５６２７３号公報
【特許文献２】実開昭６１−７６９９６号公報
【発明の開示】
【発明が解決しようとする課題】
【０００５】
本発明は前記のような問題点を解消するためになされたもので、その目的とするところは、アンテナ本体が車両のガラス面などの取付け対象面側に臨むようにケース内に配置され、取付け対象面側から高さ方向に離間した位置にあるアンテナ基板に同軸ケーブルを接続する形態のアンテナにおいて、比較的簡易な構造により同軸ケーブルを無理なく取付け対象面側に近く導出されるよう確実に固定することを可能にし、ガラス面などの取付け対象面に沿ったの体裁よい配線を行えると共に、アンテナ性能とフィダー線性能の安定化を図ることができるアンテナにおける同軸ケーブル固定構造を提供することにある。
【課題を解決するための手段】
【０００６】
上記目的を達成するため本発明は、下面が取付け対象面に貼着されるケース基部体の上面に突周壁を設け、この突周壁にアンテナ基板をアンテナ面を下向きにして固定し、該アンテナ基板の反対面上に先端部を接続した同軸ケーブルをケース外部に導出したアンテナにおいて、前記ケース基部体の突周壁からケース基部体上面近くの導出位置にかけた部位に、同軸ケーブルを下傾状に受支しつつ受支状態を固定する機構を設けたことを特徴としている。
【発明の効果】
【０００７】
同軸ケーブルは導出位置から高さ方向で離間した位置に接続されるが、傾斜案内機構によって下位レベルの導出位置まで屈曲度合い少なくガイドされ、宙ぶらりんの状態が生じないため、ケーブル先端のアンテナ基板接続部分に直接負担をかけずに、同軸ケーブルの引っ張り強度を確保できると共に、同軸ケーブルが揺れず、断線や接続部位の過大負荷が防止される。このためアンテナ性能の安定とフィダー性能の安定化を実現できる。また、同軸ケーブルがガラス面などの固定面に接近して導出されるので、それから先の配線が容易となるとともに、外観の見栄えがよくなる。
【発明を実施するための最良の形態】
【０００８】
好適には、同軸ケーブルを下傾状に受支しつつ受支状態を固定する機構が、突周壁から導出位置にかけて形成された傾斜面を有する台部と、同軸ケーブルを外囲する部分と前記台部に対する係止部を有する固定手段とを備えている。
これによれば、確実に同軸ケーブルを下傾状に受支し、その受支状態を固定することができ、アンテナ組立て工程の簡略化と組立て工数の削減を図ることができる。
【０００９】
係止部が垂下片からなり、台部が前記垂下片を差し込む穴を有している。
これによれば、固定手段をワンタッチで台部に係止固定して同軸ケーブルを傾斜状に受支できるので、作業性をよくすることができる。
台部は幅方向を貫通する内側空間を有している。
これによれば、内側空間を利用して結束部材を通し、同軸ケーブルを台部に固縛することもできるので、さらに確実に同軸ケーブルの下傾状受支状態を固定することができる。
【００１０】
同軸ケーブル導出位置に相当する基部体端部と基部体を覆うカバーの下縁部に同軸ケーブルを挟持する固定用溝を有している。
これによれば、傾斜案内機構から先で同軸ケーブルを押さえ込むので、より一層確実に同軸ケーブルを固定面に近接させて導出することができる。
【実施例１】
【００１１】
以下添付図面を参照して本発明の実施例を説明する。
図２と図３は本発明にかかる同軸ケーブル固定構造を適用したアンテナの使用状態を示しており、図４と図５は同軸ケーブル固定構造の詳細を示している。
図２と３において、Ａは車両のフロント側またはリヤ側のガラス、Ｂは前記ガラスＡに貼着されたアンテナであり、同軸ケーブル１はアンテナＡの貼着面すなわちガラス面にごく接近して導出され、ガラス面に沿って配線され、図示しないラジオなどの機器に接続されている。
【００１２】
前記アンテナＡは、合成樹脂成形品からなる基部体（下ケース）２と、下面にアンテナ本体を有するアンテナ基板３と、アンテナ基板３および基部体２を覆うカバー(上ケース)８とを備えており、前記同軸ケーブル１は、先端部１０が前記アンテナ基板３の上面に半田付けにより固着されるようになっている。同軸ケーブル１の他端にはコネクタ１１が接続されている。
【００１３】
前記基部体２は、アンテナ基板３を所要の高さに支持固定するための突周壁４を周縁より内側に一体形成しており、該突周壁４の上端縁部には数箇所にめねじ付きボスが設けられ、突周壁４にアンテナ基板３を載せ、ねじを前記めねじ付きボスに螺合することでアンテナ基板３が固定されるようになっている。
【００１４】
本発明の特徴は、前記突周壁４の任意の辺における外側４から基部体２の外端にかけて、同軸ケーブル１を下傾状に受支しかつ状態を固定する機構（ケーブル受支固定機構）５を設けたことにある。機構５は、前記突周壁４の外面と基部体２の上面に一体につながった台部６と、これと協働して同軸ケーブル１を下傾状を保持するように押さえ込むための固定手段７とを有している。
【００１５】
前記台部６は適度な長さの水平状ないし緩やかな傾斜の始端面６０と、これの先端から基部体２の上面近傍に下る傾斜面６１を一連に有し、始端面６０と傾斜面６１の境界付近には基部体２の上面につながる仕切り壁６２が設けられ、この仕切り壁６２の前方と後方は幅方向に貫通する空間部６３,６４となっている。前記仕切り壁６２には厚さ方向中間に偏平状の固定用空間（穴）６５が形成されている。
【００１６】
前記始端面６０と傾斜面６１には、同軸ケーブル１の横方向のずれを規制するための突条対６００，６１０が設けられており、かつ、始端面６０と傾斜面６１の境界部位には、前記固定用空間６５に通じる挿入口６６が形成されている。
前記固定用手段７は、同軸ケーブル１の所定位置を囲繞する圧着部７０とこれの端部から屈曲状に連設された固定用垂片７１を有しており、固定用垂片７１は前記固定用空間６５とほぼ等しい形状に作られ、前記挿入口６６を通して差し込むことで固定用空間６５に固定されるようになっている。この例では、固定用垂片７１を固定用空間６５の内寸と同程度にし、摩擦力で係止させるようになっている。
【００１７】
また、前記基部体２の側端には、上端に同軸ケーブル１の外輪郭とほぼ合致する固定用溝を有する出口固定片２０が設けられると共に、カバー８には囲壁下縁部に同軸ケーブル１の外輪郭とほぼ合致する形状の出口固定溝８０が欠設されている。この出口固定片２０と出口固定溝８０はサブ固定手段として機能する。
【００１８】
カバー８は基部体２の板面を貫いて挿入された固定ねじにより基部体２と一体化されるようになっており、天部下面には、図３のように、固定用手段取付位置の前後の同軸ケーブル部分を押圧可能な押え部８１,８２が突設されている。
【００１９】
本発明は、図４の状態からアンテナ基板３を基部体２の突周壁４上に配して固定し、アンテナ基板３に同軸ケーブル１の先端部１０を半田付けなどで接続する。同軸ケーブル１には予め台部６までの距離にあわせて固定手段７の圧着部７０をプレス加工などで固定しておく。この圧着位置の選定により同軸ケーブル１の接続用長さ寸法の固定化が図られるので、部品寸法ばらつきを少なくすることができる。
【００２０】
同軸ケーブル１を台部６の始端面６０と傾斜面６１に導き、これらの形状に合わせて曲げ、固定手段７の固定用垂片７１を挿入口６６から押し込めば、固定用垂片７１が固定用空間６５を構成する面に係止固定され、それにより同軸ケーブル１は傾斜面６１に接するように強制的に傾斜され、同時に軸線方向の移動も規制される。したがって、ハンダ部分に直接負担をかけずにリード線引張り強度を確保できる。
また、始端面６０と傾斜面６１の突条対６００，６１０により同軸ケーブル１の左右のずれも規制される。したがって、同軸ケーブル１は安定的に下傾状に受支されつつ基部体２の上面近くまで導かれる。
【００２１】
あとはカバー８を基部体２に被せ、ねじで一体に結合すればよく、このときに基部体２の出口固定片２０とカバー８の出口固定溝８０が同軸ケーブル１を挟持し導出部位の角度を規制するので、同軸ケーブル１を取付け面であるガラス面に可能な限り近づけることができる。このため、それ以降の配線が容易となる。
【００２２】
なお図示するものは本発明の一実施例であり、これに限定されるものではない。
１）固定手段７は、図６のように、テープ、紐、針金など任意の結束部材であってもよく、この場合には、台部６の空間部６３又は６４に通して同軸ケーブル１を結縛することで同軸ケーブル１は傾斜状に固定される。もちろん前記圧着端子タイプの固定手段と併用してもよい。
【００２３】
２）固定手段７が固定用垂下片７１を有するものである場合、固定用空間６５に摩擦力で固定させてもよいが、これに代えて、図７と図８のように抜け止め部を設けてもよい。図７の態様は、固定用空間６５に臨む仕切り壁６２に凸部６２０を設け、固定用垂下片７１に、これを差し込んだときに前記凸部６２０が嵌まる凹部（穴又は溝）を形成している。図８の態様は、固定用空間６５に臨む仕切り壁６２に凹部（穴又は溝）６２１を設け、固定用垂下片７１にこれの差込時に前記凹部６２1に嵌まる突部（突起又は突条）を形成している。これら態様は、固定用垂下片７１を差し込んだときに凹部と凸部がパチンと係合し合うので同軸ケーブル１が傾斜状に確実に固定される。
【００２４】
３）固定用空間６５は台部６の始端面６０と傾斜面６１の境界部位でなく、傾斜面６１に設けられていてもよい。
【図面の簡単な説明】
【００２５】
【図１】従来のアンテナにおける同軸ケーブル固定構造の例を示す断面図である。
【図２】本発明にかかる同軸ケーブル固定構造を適用したアンテナの設置例を示す説明図である。
【図３】図２の拡大縦断側面図である。
【図４】（ａ）は本発明の同軸ケーブル固定構造を用いたアンテナの分解斜視図、（ｂ）はその一部拡大図である。
【図５】同軸ケーブル固定状態をカバーを取り外した状態で示す斜視図である。
【図６】本発明における固定手段の他の態様を示す縦断側面図である。
【図７】（ａ）は本発明で採用可能な固定手段の他の例を示す斜視図、（ｂ）は固定状態の断面図である。
【図８】（ａ）は本発明で採用可能な固定手段の他の例を示す斜視図、（ｂ）は固定状態の断面図である。
【符号の説明】
【００２６】
１  同時ケーブル
２  基部体（下ケース）
３  アンテナ基板
４  突周壁
５  ケーブル傾斜状受支固定機構
６  台部
７  固定手段
８  カバー(上ケース)
２０  出口固定片
６０  傾斜面  
６３,６４  空間
６５  固定用空間
７０  圧着部
７１  垂下片
８０  固定用溝
【図１】
2007258056.tif 000003
【図２】
2007258056.tif 000004
【図３】
2007258056.tif 000005
【図４】
2007258056.tif 000006
【図５】
2007258056.tif 000007
【図６】
2007258056.tif 000008
【図７】
2007258056.tif 000009
【図８】
2007258056.tif 000010